(57)【要約】【課題】絞りの開口を調整する手段と赤外カットフィルタを挿脱する手段とを一体化し小型化する。【解決手段】絞り３２の開口３２ａを形成する孔部３３ａが穿設されたベース３３と、ベース３３にスライド可能に取り付けられて絞り３２の開口３２ａを開閉するシャッタ部材３４，３５と、シャッタ部材３４，３５をスライドさせて絞り３２の開口を変化させる第１の駆動手段３６と、ベース３３にスライド可能に取り付けられたスライド部材３７と、スライド部材３７に取り付けられた赤外カットフィルタ３８と、スライド部材３７をスライドさせて赤外カットフィルタ３８を絞り３２の開口３２ａを通過する光の光路に対して挿脱する第２の駆動手段３９とを備える。【選択図】  図５
2004361590.tif 000002
【特許請求の範囲】
【請求項１】
絞りの開口を形成する孔部が穿設されたベースと、
上記ベースにスライド可能に取り付けられ、上記絞りの開口を開閉するシャッタ部材と、
上記シャッタ部材をスライドさせることによって、上記絞りの開口を変化させる第１の駆動手段と、
上記ベースにスライド可能に取り付けられたスライド部材と、
上記スライド部材に取り付けられた赤外カットフィルタと、
上記スライド部材をスライドさせることによって、上記赤外カットフィルタを上記絞りの開口を通過する光の光路に対して挿脱する第２の駆動手段とを備える光学装置。
【請求項２】
上記シャッタ部材に取り付けられた中性濃度フィルタを備え、上記第１の駆動手段は、上記シャッタ部材をスライドさせることによって、上記中性濃度フィルタを上記絞りの開口を通過する光の光路に対して挿脱することを特徴とする請求項１記載の光学装置。
【請求項３】
上記ベースには、一対の上記シャッタ部材がスライド可能に取り付けられており、
上記第１の駆動手段は、上記一対のシャッタ部材を互いに逆向きにスライドされることによって、上記絞りの開口を変化させることを特徴とする請求項１記載の光学装置。
【請求項４】
上記一対のシャッタ部材の少なくとも一方には、中性濃度フィルタが取り付けられており、
上記第１の駆動手段は、上記一対のシャッタ部材を互いに逆向きにスライドさせることによって、上記絞りの開口を変化させると共に、上記中性濃度フィルタを上記絞りの開口を通過する光の光路に対して挿脱することを特徴とする請求項３記載の光学装置。
【請求項５】
上記赤外カットフィルタは、樹脂フィルム又はガラス基板上に積層された多層膜からなることを特徴とする請求項１記載の光学装置。
【請求項６】
絞りの開口を形成する孔部が穿設されたベースと、
上記ベースにスライド可能に取り付けられ、上記絞りの開口を開閉するシャッタ部材と、
上記シャッタ部材に取り付けられた赤外カットフィルタと、
上記シャッタ部材をスライドさせることによって、上記絞りの開口を変化させると共に、上記赤外カットフィルタを上記絞りの開口を通過する光の光路に対して挿脱する駆動手段とを備える光学装置。
【請求項７】
上記シャッタ部材に取り付けられた中性濃度フィルタを備え、上記駆動手段は、上記シャッタ部材をスライドさせることによって、上記中性濃度フィルタを上記絞りの開口を通過する光の光路に対して挿脱することを特徴とする請求項６記載の光学装置。
【請求項８】
上記ベースには、一対の上記シャッタ部材がスライド可能に取り付けられており、
上記一対のシャッタ部材の少なくとも一方には、上記赤外カットフィルタが取り付けられており、
上記駆動手段は、上記一対のシャッタ部材を互いに逆向きにスライドさせることによって、上記絞りの開口を変化させると共に、上記赤外カットフィルタを上記絞りの開口を通過する光の光路に対して挿脱することを特徴とする請求項６記載の光学装置。
【請求項９】
上記一対のシャッタ部材の少なくとも一方には、中性濃度フィルタが取り付けられており、
上記駆動手段は、上記一対のシャッタ部材を互いに逆向きにスライドさせることによって、上記絞りの開口を変化させると共に、上記赤外カットフィルタ及び上記中性濃度フィルタを上記絞りの開口を通過する光の光路に対して挿脱することを特徴とする請求項８記載の光学装置。
【請求項１０】
上記赤外カットフィルタは、樹脂フィルム又はガラス基板上に積層された多層膜からなることを特徴とする請求項６記載の光学装置。
【請求項１１】
被写体の像を結像するレンズが配置された鏡筒本体と、
上記鏡筒本体に取り付けられ、上記レンズにより結像された被写体の像を撮像する撮像手段と、
上記鏡筒本体に取り付けられ、上記レンズを通過する光の光路中に絞りを配置する光学手段とを備え、
上記光学手段は、上記絞りの開口を形成する孔部が穿設されたベースと、
上記ベースにスライド可能に取り付けられ、上記絞りの開口を開閉するシャッタ部材と、
上記シャッタ部材をスライドさせることによって、上記絞りの開口を変化させる第１の駆動手段と、
上記ベースにスライド可能に取り付けられたスライド部材と、
上記スライド部材に取り付けられた赤外カットフィルタと、
上記スライド部材をスライドさせることによって、上記赤外カットフィルタを上記絞りの開口を通過する光の光路に対して挿脱する第２の駆動手段とを有することを特徴とする撮像装置。
【請求項１２】
上記シャッタ部材に取り付けられた中性濃度フィルタを備え、
上記第１の駆動手段は、上記シャッタ部材をスライドさせることによって、上記中性濃度フィルタを上記絞りの開口を通過する光の光路に対して挿脱することを特徴とする請求項１１記載の撮像装置。
【請求項１３】
上記ベースには、一対の上記シャッタ部材がスライド可能に取り付けられており、
上記第１の駆動手段は、上記一対のシャッタ部材を互いに逆向きにスライドさせることによって、上記絞りの開口を変化させることを特徴とする請求項１１記載の撮像装置。
【請求項１４】
上記一対のシャッタ部材の少なくとも一方には、中性濃度フィルタが取り付けられており、
上記第１の駆動手段は、上記一対のシャッタ部材を互いに逆向きにスライドさせることによって、上記絞りの開口を変化させると共に、上記中性濃度フィルタを上記絞りの開口を通過する光の光路に対して挿脱することを特徴とする請求項１３記載の撮像装置。
【請求項１５】
上記赤外カットフィルタは、樹脂フィルム又はガラス基板上に積層された多層膜からなることを特徴とする請求項１１記載の撮像装置。
【請求項１６】
上記赤外カットフィルタは、通常撮影を行うとき、上記絞りの開口を通過する光の光路に挿入され、低照度撮影を行うとき、上記絞りの開口を通過する光の光路から離脱されることを特徴とする請求項１１記載の撮像装置。
【請求項１７】
被写体の像を結像するレンズが配置された鏡筒本体と、
上記鏡筒本体に取り付けられ、上記レンズにより結像された被写体の像を撮像する撮像手段と、
上記鏡筒本体に取り付けられ、上記レンズを通過する光の光路中に絞りを配置する光学手段とを備え、
上記光学手段は、上記絞りの開口を形成する孔部が穿設されたベースと、
上記ベースにスライド可能に取り付けられ、上記絞りの開口を開閉するシャッタ部材と、
上記シャッタ部材に取り付けられた赤外カットフィルタと、
上記シャッタ部材をスライドさせることによって、上記絞りの開口を変化させると共に、上記赤外カットフィルタを上記絞りの開口を通過する光の光路に対して挿脱する駆動手段とを有することを特徴とする撮像装置。
【請求項１８】
上記シャッタ部材に取り付けられた中性濃度フィルタを備え、
上記駆動手段は、上記シャッタ部材をスライドさせることによって、上記中性濃度フィルタを上記絞りの開口を通過する光の光路に対して挿脱することを特徴とする請求項１７記載の撮像装置。
【請求項１９】
上記ベースには、一対の上記シャッタ部材がスライド可能に取り付けられており、
上記一対のシャッタ部材の少なくとも一方には、上記赤外カットフィルタが取り付けられており、
上記駆動手段は、上記一対のシャッタ部材を互いに逆向きにスライドさせることによって、上記絞りの開口を変化させると共に、上記赤外カットフィルタを上記絞りの開口を通過する光の光路に対して挿脱することを特徴とする請求項１７記載の撮像装置。
【請求項２０】
上記一対のシャッタ部材の少なくとも一方には、中性濃度フィルタが取り付けられており、
上記駆動手段は、上記一対のシャッタ部材を互いに逆向きにスライドさせることによって、上記絞りの開口を変化させると共に、上記赤外カットフィルタ及び上記中性濃度フィルタを上記絞りの開口を通過する光の光路に対して挿脱することを特徴とする請求項１９記載の撮像装置。
【請求項２１】
上記赤外カットフィルタは、樹脂フィルム又はガラス基板上に積層された多層膜からなることを特徴とする請求項１７記載の撮像装置。
【請求項２２】
上記赤外カットフィルタは、通常撮影を行うとき、上記絞りの開口を通過する光の光路に挿入され、低照度撮影を行うとき、上記絞りの開口を通過する光の光路から離脱されることを特徴とする請求項１７記載の撮像装置。
【発明の詳細な説明】
【０００１】
【発明の属する技術分野】
本発明は、絞り調整機能とフィルタ挿脱機能とが一体化された光学装置、並びにそのような光学装置を備えることによって、通常撮影と低照度撮影との選択的な切換えを可能とする撮像装置に関する。
【０００２】
【従来の技術】
従来より、鏡筒本体に光軸を一致させた状態で配置された複数のレンズにより結像された被写体の像をＣＣＤ（ｃｈａｒｇｅ−ｃｏｕｐｌｅｄ  ｄｅｖｉｃｅ）等の固体撮像素子で受像し、この固体撮像素子が受像した光を光電変換して電気信号として出力し、被写体の像に対応したデジタル画像データを生成する、例えばデジタルスチルカメラやデジタルビデオカメラ等の撮像装置がある。
【０００３】
ところで、上述した撮像装置の中には、レンズと固体撮像素子との間の光路に赤外カットフィルタ（以下、ＩＲフィルタという。）を挿脱することによって、通常撮影と低照度撮影とを選択的に切り換える、いわゆるナイトショット機能を備えたものがある（例えば、特許文献１，２を参照。）。
【０００４】
【特許文献１】
特開平７−１０７３５５号公報
【特許文献２】
特開昭６４−６９１６６号公報
【０００５】
【発明が解決しようとする課題】
しかしながら、上述したナイトショット機能を有する従来の撮像装置では、ＩＲフィルタを挿脱するための多くの部材を必要としており、装置全体を小型化する上で大きな阻害となっていた。また、そのようなナイトショット機能を持たない撮像装置に比べて、製造コストや組立作業性といった面で著しく不利となることがあった。
【０００６】
そこで、本発明は、このような従来の事情に鑑みて提案されたものであり、絞りの開口を調整する手段と赤外カットフィルタを挿脱する手段とを一体化し小型化することを可能とした光学装置を提供することを目的とする。
【０００７】
また、本発明は、そのような光学装置を備えることによって、通常撮影と低照度撮影との選択的な切換えを可能とすると共に、更なる小型化及び低コスト化を可能とした撮像装置を提供することを目的とする。
【０００８】
【課題を解決するための手段】
この目的を達成するために、本発明に係る光学装置は、絞りの開口を形成する孔部が穿設されたベースと、ベースにスライド可能に取り付けられて絞りの開口を開閉するシャッタ部材と、シャッタ部材をスライドさせて絞りの開口を変化させる第１の駆動手段と、ベースにスライド可能に取り付けられたスライド部材と、スライド部材に取り付けられた赤外カットフィルタと、スライド部材をスライドさせて赤外カットフィルタを絞りの開口を通過する光の光路に対して挿脱する第２の駆動手段とを備えることを特徴としている。
【０００９】
以上のように、本発明に係る光学装置では、シャッタ部材をスライドさせて絞りの開口を変化させる第１の駆動手段と、スライド部材をスライドさせて赤外カットフィルタを絞りの開口を通過する光の光路に対して挿脱する第２の駆動手段とがベースに一体に設けられていることから、このような絞りの開口を調整する手段と赤外カットフィルタを挿脱する手段とを一体化し小型化することができる。
【００１０】
また、本発明に係る光学装置は、絞りの開口を形成する孔部が穿設されたベースと、ベースにスライド可能に取り付けられて絞りの開口を開閉するシャッタ部材と、シャッタ部材に取り付けられた赤外カットフィルタと、シャッタ部材をスライドさせて絞りの開口を変化させると共に赤外カットフィルタを絞りの開口を通過する光の光路に対して挿脱する駆動手段とを備えることを特徴としている。
【００１１】
以上のように、本発明に係る光学装置では、赤外カットフィルタが取り付けられたシャッタ部材を駆動手段がスライドさせることによって、絞りの開口を変化させると共に、赤外カットフィルタを絞りの開口を通過する光の光路に対して挿脱することから、このような絞りの開口を調整可能とする手段と赤外カットフィルタを挿脱可能とする手段とを一体化し小型化することができる。
【００１２】
また、本発明に係る撮像装置は、被写体の像を結像するレンズが配置された鏡筒本体と、鏡筒本体に取り付けられてレンズにより結像された被写体の像を撮像する撮像手段と、鏡筒本体に取り付けられてレンズを通過する光の光路中に絞りを配置する光学手段とを備え、光学手段は、絞りの開口を形成する孔部が穿設されたベースと、ベースにスライド可能に取り付けられて絞りの開口を開閉するシャッタ部材と、シャッタ部材をスライドさせて絞りの開口を変化させる第１の駆動手段と、ベースにスライド可能に取り付けられたスライド部材と、スライド部材に取り付けられた赤外カットフィルタと、スライド部材をスライドさせて赤外カットフィルタを絞りの開口を通過する光の光路に対して挿脱する第２の駆動手段とを有することを特徴としている。
【００１３】
以上のように、本発明に係る撮像装置では、シャッタ部材をスライドさせて絞りの開口を変化させる第１の駆動手段と、スライド部材をスライドさせて赤外カットフィルタを絞りの開口を通過する光の光路に対して挿脱する第２の駆動手段とがベースに一体に設けられた光学手段を備えることから、通常撮影と低照度撮影との選択的な切換えを行うことができ、また、そのような光学手段を備えることによって、装置全体を小型化することができる。
【００１４】
また、本発明に係る撮像装置は、被写体の像を結像するレンズが配置された鏡筒本体と、鏡筒本体に取り付けられてレンズにより結像された被写体の像を撮像する撮像手段と、鏡筒本体に取り付けられてレンズを通過する光の光路中に絞りを配置する光学手段とを備え、光学手段は、絞りの開口を形成する孔部が穿設されたベースと、ベースにスライド可能に取り付けられて絞りの開口を開閉するシャッタ部材と、シャッタ部材に取り付けられた赤外カットフィルタと、シャッタ部材をスライドさせて絞りの開口を変化させると共に赤外カットフィルタを絞りの開口を通過する光の光路に対して挿脱する駆動手段とを有することを特徴としている。
【００１５】
以上のように、本発明に係る撮像装置では、赤外カットフィルタが取り付けられたシャッタ部材を駆動手段がスライドさせることによって、絞りの開口を変化させると共に、赤外カットフィルタを絞りの開口を通過する光の光路に対して挿脱する光学手段を備えることから、通常撮影と低照度撮影との選択的な切換えを行うことができ、また、そのような光学手段を備えることによって、装置全体を小型化することができる。
【００１６】
【発明の実施の形態】
以下、本発明を適用した光学装置及び撮像装置について、図面を参照しながら詳細に説明する。
【００１７】
図１及び図２に示すように、本発明を適用した撮像装置１は、鏡筒本体２に光軸を一致させた状態で配置された複数のレンズのうち、鏡筒本体２に収納されたズーミング用のレンズとフォーカス用のレンズとを光軸方向に変位させることによって、ズーミング（変倍操作）とフォーカッシング（焦点調節操作）とを行うレンズ鏡筒を備え、このレンズ鏡筒によって結像された被写体の像を撮像する撮像ユニットを鏡筒本体２に取り付けることによって、装置全体を小型パッケージ化したものである。そして、この撮像装置１は、装置全体の小型化が図られることによって、例えばデジタルビデオカメラやデジタルスチルカメラ等を構成するのに好適なものとして使用されている。
【００１８】
具体的に、この撮像装置１において、鏡筒本体２は、強度及び量産性があり且つ遮光性を有する黒色の樹脂材料、例えばガラス繊維を含有するポリカーボネート樹脂等からなる。また、この鏡筒本体２は、光軸の前後方向において３分割された前部鏡筒３と中間鏡筒４と後部鏡筒５とを有しており、前部鏡筒３が中間鏡筒４の前面側にネジ止めされ、後部鏡筒５が中間鏡筒４の背面側にネジ止めされた構造を有している。なお、前部鏡筒３と中間鏡筒４との間には、前部鏡筒３に保持されたレンズの調芯を行うためのレンズ調芯機構が設けられている。
【００１９】
複数のレンズは、被写体側から順に、前部鏡筒３に固定された第１のレンズ６、第２のレンズ７及び第３のレンズ８からなる固定レンズ群９と、中間鏡筒４の内部で光軸方向に変位駆動される第４のレンズ１０、第５のレンズ１１及び第６のレンズ１２からなるズーム用の可動レンズ群１３と、中間鏡筒４に固定された第７のレンズ（固定レンズ）１４と、中間鏡筒４の内部で光軸方向に変位駆動される第８のレンズ１５、第９のレンズ１６及び第１０のレンズ１７からなるフォーカス用の可動レンズ群１８とを有し、いわゆる４群インナーフォーカス式のズームレンズとして構成されている。
【００２０】
このうち、固定レンズ群９は、前部鏡筒３の前面に設けられた略円筒状のレンズ保持枠１９に保持されている。また、固定レンズ１４は、中間鏡筒４の内周部に設けられた略円環状のレンズ保持枠２０に保持されている。一方、ズーム用の可動レンズ群１３及びフォーカス用の可動レンズ群１８は、レンズ支持機構によって光軸方向に移動可能に支持されている。
【００２１】
このレンズ支持機構は、ズーム用の可動レンズ群１３を保持するズーム用のレンズ保持部材２１と、フォーカス用の可動レンズ群１８を保持するフォーカス用のレンズ保持部材２２と、これらズーム用及びフォーカス用のレンズ保持部材２１，２２を光軸方向にスライド可能に支持する一対のガイド軸２３ａ，２３ｂとを有している。
【００２２】
ズーム用及びフォーカス用のレンズ保持部材２１，２２は、強度及び量産性があり且つ遮光性を有する黒色の樹脂材料、例えばガラス繊維を含有するポリカーボネート樹脂等からなり、それぞれ可動レンズ群１３，１８の外周部を保持するレンズ保持枠２１ａ，２２ａを有している。また、ズーム用のレンズ保持部材２１は、一対のガイド軸２３ａ，２３ｂのうち、一方のガイド軸２３ａを挿通するガイド孔２４ａが形成された筒状の第１の支持部２４と、他方のガイド軸２３ｂを挟み込むガイド溝２５ａが形成された片状の第２の支持部２５とを有し、これら第１の支持部２４と第２の支持部２５とは、レンズ保持枠２１ａの外周部において互いに対向する位置から突出形成されている。
【００２３】
一方、フォーカス用のレンズ保持部材２２は、一対のガイド軸２３ａ，２３ｂのうち、一方のガイド軸２３ｂを挿通するガイド孔２６ａが形成された筒状の第１の支持部２６と、他方のガイド軸２３ａを挟み込むガイド溝２７ａが形成された片状の第２の支持部２７とを有し、これら第１の支持部２６と第２の支持部２７とは、レンズ保持枠２２ａの外周部において互いに対向する位置から突出形成されている。
【００２４】
ここで、ズーム用のレンズ保持部材２１は、第１の支持部２４のガイド孔２４ａに一方のガイド軸２３ａが挿通され、第２の支持部２５のガイド溝２５ａに他方のガイド軸２３ｂが挟み込まれることによって、固定レンズ群９と固定レンズ１４との間で、一対のガイド軸２３ａ，２３ｂに沿ってスライド可能に支持されている。これに対して、フォーカス用のレンズ保持部材２２は、第１の支持部２６のガイド孔２６ａに他方のガイド軸２３ｂが挿通され、第２の支持部２７のガイド溝２７ａに一方のガイド軸２３ａが挟み込まれることによって、後述する絞り３２と固体撮像素子５６との間で、一対のガイド軸２３ａ，２３ｂに沿ってスライド可能に支持されている。
【００２５】
このように、ズーム用のレンズ保持部材２１とフォーカス用のレンズ保持部材２２とは、一対のガイド軸２３ａ，２３ｂに対して互いに逆向きに配置されている。これにより、一対のガイド軸２３ａ，２３ｂに対するズーム用及びフォーカス用のレンズ保持部材２１，２２のガタツキの発生を抑制している。
【００２６】
一対のガイド軸２３ａ，２３ｂは、中間鏡筒４の内部で光軸と平行に配置されると共に、それぞれの両端部が前部鏡筒３と後部鏡筒５との間で固定支持されている。このため、前部鏡筒３には、一対のガイド軸２３ａ，２３ｂの一端を固定支持する一対の受部２８ａ，２８ｂが形成されている。また、後部鏡筒５には、一対のガイド軸２３ａ，２３ｂの他端を固定支持する一対の受部２９ａ，２９ｂが形成されている。また、中間鏡筒４のレンズ保持枠２０には、一対のガイド軸２３ａ，２３ｂを貫通させる一対の貫通孔３０ａ，３０ｂが形成されている。
【００２７】
また、一対のガイド軸２３ａ，２３ｂは、鏡筒本体２内において互いに対向するコーナー部に配置されている。これにより、ズーム用及びフォーカス用のレンズ保持部材２１，２２は、第１の支持部２４，２６と第２の支持部２５，２７とを結ぶ直線が重力方向に対して略４５゜傾けられた状態となることから、外部からの振動等によってガタツキが発生するのを抑制することができる。
【００２８】
また、中間鏡筒４には、これらズーム用のレンズ支持部材２１とフォーカス用のレンズ支持部材２２とをそれぞれ一対のガイド軸２３ａ，２３ｂに沿って光軸方向に変位駆動するためのレンズ駆動機構が設けられている。このレンズ駆動機構は、ステッピングモータやリニアモータ等の駆動により一対のガイド軸２３ａ，２３ｂに支持されたレンズ支持部材２１，２２をそれぞれ独立に光軸方向へと変位駆動する。
【００２９】
また、中間鏡筒４には、光学手段である光学ユニット３１が設けられている。
【００３０】
この光学ユニット３１は、本発明を適用した光学装置を構成するものであり、固定レンズ１４とフォーカス用の可動レンズ群１８との間に絞り３２を配置すると共に、この絞り３２の開口３２ａを調整する絞り調整機構と、この絞り３２の開口３２ａを通過した光の光路に対して赤外カットフィルタ（以下、ＩＲフィルタという。）を挿脱するフィルタ挿脱機構とが一体化された構造を有している。
【００３１】
具体的に、この光学ユニット３１は、図３，図４及び図５に示すように、ベース３３と、ベース３３にスライド可能に取り付けられた一対のアイリス羽根３４，３５と、一対のアイリス羽根３４，３５を互いに逆向きにスライドさせる第１の駆動機構３６と、ベース３３にスライド可能に取り付けられたスライド部材３７と、スライド部材３７に取り付けられたＩＲフィルタ３８と、スライド部材３７をスライドさせる第２の駆動機構３９とを備えている。
【００３２】
ベース３３は、図３，図５及び図６に示すように、強度及び量産性があり且つ遮光性を有する黒色の樹脂材料、例えばガラス繊維を含有するポリカーボネート樹脂等が、全体略矩形箱状に形成されてなる。また、ベース３３の底面略中央部には、上記絞り３２の開口３２ａを形成する略円形状の孔部３３ａが穿設されている。また、このベース３３の底面部には、孔部３３ａの周囲に４つのガイドピン４０ａ，４０ｂ，４０ｃ，４０ｄが突出して設けられている。これら４つのガイドピン４０ａ，４０ｂ，４０ｃ，４０ｄは、ガイドピン４０ａ，４０ｃを結ぶ直線とガイドピン４０ｂ，４０ｄを結ぶ直線が鉛直方向に対して互いに平行、且つ、ガイドピン４０ａ，４０ｄを結ぶ直線とガイドピン４０ｂ，４０ｃを結ぶ直線が水平方向に対して互いに平行となる位置に、それぞれ配置されている。
【００３３】
また、ベース３３には、ガイドピン４０ａ，４０ｂ，４０ｃ，４０ｄが形成された一主面側を閉塞するカバー部材４１が取り付けられている。このカバー部材４１には、ベース３３の孔部３３ａに対応した略円形状の孔部４１ａが穿設されている。また、このカバー部材４１は、ベース３３の一主面側を閉塞することによって、後述するガイドピン４０ａ，４０ｂ，４０ｃ，４０ｄにスライド可能に支持された一対のアイリス羽根３４，３５及びスライド部材３７をベース３３内に保持することになる。
【００３４】
一対のアイリス羽根３４，３５は、上記絞り３２の開口３２ａを開閉するシャッタ部材であり、強度及び量産性があり且つ遮光性を有する黒色の樹脂フィルム、例えば黒色のポリカーボネート樹脂フィルム等が、所定の形状に打ち抜き形成されてなる。
【００３５】
このうち、一方のアイリス羽根３４には、スライド方向と直交する方向の両側に位置して、上述したベース３３の３つのガイドピン４０ａ，４０ｂ，４０ｄが係合される３つの鉛直スリット４１ａ，４１ｂ，４１ｃが形成されている。これら３つの鉛直スリット４１ａ，４１ｂ，４１ｃは、鉛直方向に平行な直線状の長孔である。したがって、一方のアイリス羽根３４は、各鉛直スリット４１ａ，４１ｂ，４１ｃと各ガイドピン４０ａ，４０ｂ，４０ｄとの係合により鉛直方向にスライド可能に支持されている。
【００３６】
また、一方のアイリス羽根３４は、絞り３２の開口３２ａを閉塞する側の端部から鉛直方向に切り欠かれた切欠き部３４ａを有している。この切欠き部３４ａは、ベース３３の孔部３３ａに対応した幅で切り欠かれており、その深さ方向の端部が略半円状に切り欠かれると共に、その半円部分から深さ方向の端部中央に向かって略Ｖ字状に切り欠かれた形状を有している。
【００３７】
また、一方のアイリス羽根３４には、後述する第１の回動アーム４５の駆動ピン４７ａが係合される水平スリット４２が形成されている。この水平スリット４２は、水平方向に平行な直線状の長孔であり、絞り３２の開口３２ａを閉塞する側の端部から外側に向かって延長された延長部３４ｂに穿設されている。
【００３８】
これに対して、他方のアイリス羽根３５は、スライド方向と直交する方向の両側に位置して、上述したベース３３の３つのガイドピン４０ａ，４０ｃ，４０ｄが係合される３つの鉛直スリット４３ａ，４３ｂ，４３ｃが形成されている。これら３つの鉛直スリット４３ａ，４３ｂ，４３ｃは、鉛直方向に平行な直線状の長孔である。したがって、他方のアイリス羽根３５は、各鉛直スリット４３ａ，４３ｃ，４３ｃと各ガイドピン４０ａ，４０ｃ，４０ｄとの係合により鉛直方向にスライド可能に支持されている。
【００３９】
また、他方のアイリス羽根３５は、絞り３２の開口３２ａを閉塞する側の端部から鉛直方向に切り欠かれた切欠き部３５ａを有している。この切欠き部３５ａは、ベース３３の孔部３３ａに対応した幅で切り欠かれており、その深さ方向の端部が略半円状に切り欠かれると共に、その半円部分から深さ方向の端部中央に向かって略Ｖ字状に切り欠かれた形状を有している。
【００４０】
また、他方のアイリス羽根３５には、後述する第１の回動アーム４５の駆動ピン４７ｂが係合される水平スリット４４が形成されている。この水平スリット４４は、水平方向に平行な直線状の長孔であり、絞り３２の開口３２ａを閉塞する側の端部に鉛直スリット４３ｂよりも内側に位置して穿設されている。
【００４１】
第１の駆動機構３６は、上述した一対のアイリス羽根３４，３５をスライド操作する第１の回動アーム４５と、第１の回動アーム４５を回動させる第１の駆動モータ４６とを有している。
【００４２】
第１の回動アーム４５は、長尺状の部材からなり、その中心部が第１の駆動モータ４６の駆動軸４６ａに一体に取り付けられている。また、第１の回動アーム４５の両端部には、第１の駆動モータ４６とは反対側から突出する一対の駆動ピン４７ａ，４７ｂが設けられている。
【００４３】
第１の駆動モータ４６は、いわゆるガルバノメータであり、コイルに流れる電流に比例した回転力（トルク）を発生させることによって、この回転力に抗する付勢力と平衡する角度まで第１の回動アーム４５を回動させる。
【００４４】
そして、この第１の駆動機構３６は、第１の回動アーム４５の一対の駆動ピン４７ａ，４７ｂが一対のアイリス羽根３４，３５の水平スリット４２，４４にそれぞれ係合された状態で、第１の駆動モータ４６が取付部材４８を介してベース３３の一主面側に取り付けられている。
【００４５】
また、この第１の駆動機構３６は、図６及び図７に示すように、第１の駆動モータ４６を駆動する前の状態において、一対のアイリス羽根３４，３５がベース３３及びカバー部材４１の孔部３３ａ，４１ａを閉塞した状態、すなわち絞り３２の開口３２ａが全閉された状態を保持している。そして、この状態から、第１の駆動モータ４６の駆動により第１の回動アーム４５が回動されると、一対の駆動ピン４７ａ，４７ｂと水平スリット４２，４４との係合により一対のアイリス羽根３４，３５が鉛直方向において互いに逆向き（ここでは、互いに離間する方向）にスライドされる。これにより、一対のアイリス羽根３４，３５がベース３３及びカバー部材４１の孔部３３ａ，４１ａを開放する。このとき、絞り３２の開口３２ａは、一対のアイリス羽根３４，３５に形成された切欠き部３４ａ，３５ａの重なり具合に応じて、その開口面積（口径）が変化する。そして、最終的には、図８及び図９に示すように、一対のアイリス羽根３４，３５がベース３３及びカバー部材４１の孔部３３ａ，４１ａを開放した状態、すなわち絞り３２の開口３２ａが全開された状態となるまで、第１の回動アーム４５を任意の角度範囲で回動することが可能となっている。
【００４６】
したがって、この光学ユニット３１では、第１の駆動機構３６により一対のアイリス羽根３４，３５を鉛直方向において互いに逆向き、すなわち互いに近接又は離間する方向にスライドさせることによって、絞り３２の開口３２ａを任意に調節することが可能となっている。
【００４７】
なお、この光学ユニット３１では、他方のアイリス羽根３５が一方のアイリス羽根３４よりもベース３３側に位置した構成となっているが、これら一対のアイリス羽根３４，３５の重ね合わせの順序については任意であり、一方のアイリス羽根３４が他方のアイリス羽根３５よりもベース３３側に位置した構成であってもよい。
【００４８】
スライド部材３７は、図４，図５及び図１０に示すように、強度及び量産性があり且つ遮光性を有する黒色の樹脂フィルム、例えば黒色のポリカーボネート樹脂フィルム等が、所定の形状に打ち抜き形成されてなる。
【００４９】
このスライド部材３７には、スライド方向と直交する両側に位置して、上述したベース３３の３つのガイドピン４０ａ，４０ｂ，４０ｄが係合される３つの鉛直スリット４９ａ，４９ｂ，４９ｃが形成されている。これら３つの鉛直スリット４９ａ，４９ｂ，４９ｃは、鉛直方向に平行な直線状の長孔である。したがって、スライド部材３７は、ベース３３と一対のアイリス羽根３４，３５との間に位置して、各鉛直スリット４９ａ，４９ｂ，４９ｃと各ガイドピン４０ａ，４０ｂ，４０ｄとの係合により鉛直方向にスライド可能に支持されている。
【００５０】
また、スライド部材３７は、絞り３２の開口３２ａを閉塞する側の端部から鉛直方向に切り欠かれた切欠き部３７ａを有している。この切欠き部３７ａは、ベース３３の孔部３３ａに対応した幅で切り欠かれており、その深さ方向の端部が略半円状に切り欠かれた形状を有している。
【００５１】
また、スライド部材３７には、後述する第２の回動アーム５１の駆動ピン５３が係合される水平スリット５０が形成されている。この水平スリット５０は、水平方向に平行な直線状の長孔であり、絞り３２の開口３２ａを閉塞する側の端部に鉛直スリット４９ｂよりも内側に位置して穿設されている。
【００５２】
ＩＲフィルタ３８は、上記絞り３２の開口３２ａを通過する光の赤外帯域成分を反射させることにより、後述する撮像ユニット５５への当該赤外帯域成分の入射を遮断させるものであり、例えばガラス基板上に積層された多層膜からなる。
【００５３】
また、このＩＲフィルタ３８としては、更なる薄型化及び軽量化を図るため、例えばポリエチレンテレフトレート（ＰＥＴ）等の樹脂フィルム上に、上述した多層膜を蒸着により積層形成し、所定の形状に型抜きしたものを用いることが可能である。
【００５４】
この場合、ＩＲフィルタ３８の薄型化及び軽量化によって、この光学ユニット３１を小型薄型化することが可能である。また、後述する第２の駆動機構３９によるＩＲフィルタ３８の挿脱動作速度が向上することから、撮影者の使用感を向上させることが可能である。また、より少ない駆動力でのＩＲフィルタ３８の挿脱動作が可能となることから、消費電力の低減を図ることが可能である。
【００５５】
なお、赤外カットフィルタとしては、上述した赤外帯域成分を反射させるタイプに限らず、当該赤外帯域成分を吸収することによって、撮像ユニットへの赤外帯域成分の入射を遮断するタイプも使用可能である。
【００５６】
そして、このＩＲフィルタ３８は、上述したスライド部材３７のベース３３側の主面において切欠き部３７ａから臨む位置に接着等により取り付けられている。具体的に、このＩＲフィルタ３８は、切欠き部３７ａを深さ方向の端部から略半分覆う領域に亘って設けられている。
【００５７】
第２の駆動機構３９は、上述したスライド部材３７をスライド操作する第２の回動アーム５１と、第２の回動アーム５１を回動させる第２の駆動モータ５２とを有している。
【００５８】
第２の回動アーム５１は、長尺状の平板部材からなり、その一端側が第２の駆動モータ５２の駆動軸５２ａに一体に取り付けられている。また、第２の回動アーム５１の他端側には、第２の駆動モータ５２とは反対側から突出する駆動ピン５３が設けられている。
【００５９】
第２の駆動モータ５２は、いわゆるガルバノメータであり、コイルに流れる電流に比例した回転力（トルク）を発生させることによって、この回転力に抗する付勢力と平衡する角度まで第２の回動アーム５１を回動させる。
【００６０】
そして、この第２の駆動機構３９は、第２の回動アーム５１の駆動ピン５３がベース３３に形成された透孔（図示せず。）を通してスライド部材３７の水平スリット５０に係合された状態で、第２の駆動モータ５２が取付部材５４を介してベース３３の他主面側に取り付けられている。
【００６１】
また、この第２の駆動機構３９は、図９及び図１０に示すように、第２の駆動モータ５２を駆動する前の状態において、スライド部材３７の切欠き部３７ａから臨むＩＲフィルタ３８がベース３３及びカバー部材４１の孔部３３ａ，４１ａから退避された状態、すなわち絞り３２の開口３２ａを通過する光の光路に対してＩＲフィルタ３８が離脱された状態を保持している。そして、この状態から、第２の駆動モータ５２の駆動により第２の回動アーム５１が回動されると、図１１及び図１２に示すように、駆動ピン５３と水平スリット５０との係合によりスライド部材３７が鉛直方向にスライドされる。これにより、図１１及び図１２に示すように、ＩＲフィルタ３８がベース３３及びカバー部材４１の孔部３３ａ，４１ａ全体を覆う状態、すなわち、絞り３２の開口３２ａを通過する光の光路に対してＩＲフィルタ３８が挿入された状態となる。
【００６２】
このように、光学ユニット３１では、スライド部材３７に保持されたＩＲフィルタ３８を絞り３２の開口３２ａを通過する光の光路に対して挿脱することが可能となっている。
【００６３】
以上のように構成される光学ユニット３１は、図１及び図２に示すように、固定レンズ１４とフォーカス用の可動レンズ群１８との間に絞り３２が位置するように、中間鏡筒４に形成された挿入口（図示せず。）からベース３３が挿入された状態で、中間鏡筒４にネジ止めにより取り付けられている。
【００６４】
後部鏡筒５には、撮像手段である撮像ユニット５５が設けられている。
【００６５】
この撮像ユニット５５は、上述した複数のレンズにより結像される被写体の像面に位置し、入射した光を光電変換して電気信号として出力するものであり、例えばＣＣＤ（ｃｈａｒｇｅ−ｃｏｕｐｌｅｄ  ｄｅｖｉｃｅ）やＣＭＯＳ（ｃｏｍｐｌｅｍｅｎｔａｒｙ  ｍｅｎｔａｌ−ｏｘｉｄｅ  ｓｅｍｉｃｏｎｄｕｃｔｏｒ  ｄｅｖｉｃｅ）等の固体撮像素子５６がベース５７上に実装された構造を有している。また、このベース５７の背面側には、固体撮像素子５６から出力される電気信号を外部の信号処理回路等に供給するための複数の接続端子５８が突出して設けられている。そして、これら複数の接続端子５８は、図示しないフレキシブルケーブルを介して外部と電気的に接続することが可能となっている。
【００６６】
また、後部鏡筒５の背面側の略中央部には、この撮像ユニット５５の固体撮像素子５６が嵌合される嵌合凹部５９が設けられている。この嵌合凹部５９の底面部には、固体撮像素子５６に対応した矩形状の開口部５９ａが形成されている。そして、この撮像ユニット５５は、矩形枠状のシールゴム６０を介して固体撮像素子５６が嵌合凹部５９に嵌合された状態で、後部鏡筒５の背面側にネジ止めにより取り付けられている。
【００６７】
以上のように構成される撮像装置１では、ズーム用のレンズ駆動機構によってズーム用の可動レンズ群１３を光軸方向に変位させるズーミング（変倍操作）を行いながら、複数のレンズにより結像される被写体の像面と固体撮像素子５６の受光面とが一致するように、フォーカス用のレンズ駆動機構によってフォーカス用の可動レンズ群１８を光軸方向に変位させるフォーカッシング（焦点調節操作）を行う。これにより、複数のレンズにより結像される被写体の像面と固体撮像素子５６の受光面とを一致させたまま、焦点距離を連続的に変化させることができる。そして、この撮像装置１では、複数のレンズにより結像された被写体の像を固体撮像素子５６で受像し、この固体撮像素子５６から出力される電気信号を処理することで、被写体の像に対応したデジタル画像データを生成することができる。
【００６８】
ところで、この撮像装置１は、通常撮影と低照度撮影とを選択的に切り換える、いわゆるナイトショット機能を有している。
【００６９】
具体的に、通常撮影のときには、図１１及び図１２に示すように、上述した光学ユニット３１の第２の駆動機構３９がスライド部材３７をスライドさせることによって、このスライド部材３７に保持されたＩＲフィルタ３８を絞り３２の開口３２ａを通過する光の光路に挿入した状態とする。そして、この状態で、上述した光学ユニット３１の第１の駆動機構３６が一対のアイリス羽根３４，３５を互いに逆向きスライドさせながら、撮影時の輝度レベルに応じた最適な絞り調整を行う。
【００７０】
これにより、撮像装置１では、絞り３２の開口３２ａを通過した光の赤外帯域成分が撮像ユニット５５の固体撮像素子５６に入射するのを遮断することができ、この固体撮像素子５６が受像した被写体の像から適切なデジタル画像データを生成することができる。
【００７１】
一方、低照度撮影のときには、図８，図９及び図１０に示すように、上述した光学ユニット３１の第１の駆動機構３６が一対のアイリス羽根３４，３５を互いに逆向きスライドさせることによって、絞り３２の開口３２ａを全開状態とすると共に、第２の駆動機構３９がスライド部材３７に保持されたＩＲフィルタ３８を絞り３２の開口３２ａを通過する光の光路から離脱した状態とする。
【００７２】
これにより、撮像装置１では、夜間や暗所等においても、被写体の像を固体撮像素子５６により適切に受像することができ、この固体撮像素子５６が受像した被写体の像から適切なデジタル画像データを生成することができる。
【００７３】
以上のように、この撮像装置１は、一対のアイリス羽根３４，３５をスライドさせて絞り３２の開口を変化させる第１の駆動機構３６と、スライド部材３７をスライドさせてＩＲフィルタ３８を絞り３２の開口３２ａを通過する光の光路に対して挿脱する第２の駆動機構３９とがベース３３と一体化された光学ユニット３１を備えている。
【００７４】
したがって、この撮像装置１では、上述した通常撮影と低照度撮影との選択的な切換えを適切に行うことが可能である。また、この撮像装置１では、従来のようなＩＲフィルタを挿脱するための機構を鏡筒本体に別個に設ける場合と比べて、部品点数が少なくなることから、装置全体の小型化及び低コスト化が可能である。また、部品及び組立コストの低減、並びに組立作業性の向上を図ることが可能である。
【００７５】
また、上述した光学ユニット３１では、一対のアイリス羽根３４，３４の少なくとも一方に、中性濃度フィルタ（以下、ＮＤフィルタという。）が取り付けられた構成とすることも可能である。
【００７６】
ここでは、その一例として、図１３及び図１４に示すように、上述した光学ユニット３１の一方のアイリス羽根３４にＮＤフィルタ６１が取り付けられた構造について説明する。
【００７７】
このＮＤフィルタ６１は、光強度を減少させる、いわゆる灰色フィルタである。そして、このＮＤフィルタ６１は、上述した一方のアイリス羽根３４のベース３３側の主面において切欠き部３４ａから臨む位置に接着等により取り付けられている。具体的に、このＮＤフィルタ６１は、切欠き部３４ａを深さ方向の端部から略Ｖ字状の部分まで覆う領域に亘って設けられている。
【００７８】
この光学ユニット３１では、図１５及び図１６に示すように、絞り３２の開口が小さくなる位置まで第１の駆動機構３６が一対のアイリス羽根３４，３５をスライドさせることによって、一方のアイリス羽根３４の切欠き部３４から臨むＮＤフィルタ６１が絞り３２の開口３２ａを通過する光の光路に対して挿入された状態となる。
【００７９】
以上のようにして、この光学ユニット３１では、一方のアイリス羽根３４に保持されたＮＤフィルタ６１を絞り３２の開口３２ａを通過する光の光路に対して挿脱することが可能となっている。
【００８０】
したがって、このような光学ユニット３１を備える撮像装置１では、高照度撮影のときに、絞り３２の開口を小さくすることによって、上述したＮＤフィルタ６１が絞り３２の開口３２ａを通過する光の光路に対して挿入された状態となる。これにより、撮像装置１では、例えば昼間の野外等において、ＮＤフィルタ６１が光強度を減少させることから、被写体の像を固体撮像素子５６により適切に受像することができ、この固体撮像素子５６が受像した被写体の像から適切なデジタル画像データを生成することができる。
【００８１】
また、この撮像装置１では、従来のようなＮＤフィルタを挿脱するための機構を鏡筒本体に別個に設ける場合と比べて、部品点数が少なくなることから、装置全体の小型化及び低コスト化が可能である。また、部品及び組立コストの低減、並びに組立作業性の向上を図ることが可能である。
【００８２】
次に、図１７及び図１８に示す本発明を適用した別の撮像装置１００について説明する。
【００８３】
なお、この撮像装置１００は、上述した光学ユニット３１に代わって、本発明を適用した別の光学装置である光学ユニット１０１を備える以外は、上記撮像装置１と略々同様の構成を有している。したがって、この撮像装置１００では、上記撮像装置１と同等な部位について説明を省略すると共に、図面において同じ符号を付すものとする。
【００８４】
この撮像装置１００において、光学ユニット１０１は、固定レンズ１４とフォーカス用の可動レンズ群１８との間に絞り１０２を配置すると共に、この絞り１０２の開口１０２ａを調整する絞り調整機構と、この絞り１０２の開口１０２ａを通過した光の光路に対して赤外カットフィルタを挿脱するフィルタ挿脱機構とが一体化された構造を有している。
【００８５】
具体的に、この光学ユニット１０１は、図１９，図２０及び図２１に示すように、ベース１０３と、ベース１０３にスライド可能に取り付けられた一対のアイリス羽根１０４，１０５と、一方のアリスバネ１０５に取りつられたＩＲフィルタ１０６と、一対のアイリス羽根１０４，１０５を互いに逆向きにスライドさせる駆動機構１０７とを備えている。
【００８６】
ベース１０３は、強度及び量産性があり且つ遮光性を有する黒色の樹脂材料、例えばガラス繊維を含有するポリカーボネート樹脂等が、全体略矩形箱状に形成されてなる。また、ベース１０３の底面略中央部には、絞り１０２の開口１０２ａを形成する略円形状の孔部１０３ａが穿設されている。また、このベース１０３の底面部には、孔部１０３ａの周囲に４つのガイドピン１０８ａ，１０８ｂ，１０８ｃ，１０８ｄが突出して設けられている。これら４つのガイドピン１０８ａ，１０８ｂ，１０８ｃ，１０８ｄは、ガイドピン１０８ａ，１０８ｃを結ぶ直線とガイドピン１０８ｂ，１０８ｄを結ぶ直線が鉛直方向に対して互いに平行、且つ、ガイドピン１０８ａ，１０８ｄを結ぶ直線とガイドピン１０８ｂ，１０８ｃを結ぶ直線が水平方向に対して互いに平行となる位置に、それぞれ配置されている。
【００８７】
また、ベース１０３には、ガイドピン１０８ａ，１０８ｂ，１０８ｃ，１０８ｄが形成された一主面側を閉塞するカバー部材１０９が取り付けられている。このカバー部材１０９には、ベース１０３の孔部１０３ａに対応した略円形状の孔部１０９ａが穿設されている。また、このカバー部材１０９は、ベース１０３の一主面側を閉塞することによって、後述するガイドピン１０８ａ，１０８ｂ，１０８ｃ，１０８ｄにスライド可能に支持された一対のアイリス羽根１０４，１０５をベース１０３内に保持することになる。
【００８８】
一対のアイリス羽根１０４，１０５は、絞り１０２の開口１０２ａを開閉するシャッタ部材であり、強度及び量産性があり且つ遮光性を有する黒色の樹脂フィルム、例えば黒色のポリカーボネート樹脂フィルム等が、所定の形状に打ち抜き形成されてなる。
【００８９】
このうち、一方のアイリス羽根１０４には、スライド方向と直交する両側に位置して、上述したベース１０３の３つのガイドピン１０８ａ，１０８ｂ，１０８ｄが係合される３つの鉛直スリット１１０ａ，１１０ｂ，１１０ｃが形成されている。これら３つの鉛直スリット１１０ａ，１１０ｂ，１１０ｃは、鉛直方向に平行な直線状の長孔である。したがって、一方のアイリス羽根１０４は、各鉛直スリット１１０ａ，１１０ｂ，１１０ｃと各ガイドピン１０８ａ，１０８ｂ，１０８ｄとの係合により鉛直方向にスライド可能に支持されている。
【００９０】
また、一方のアイリス羽根１０４は、絞り１０２の開口１０２ａを閉塞する側の端部から鉛直方向に切り欠かれた切欠き部１０４ａを有している。この切欠き部１０４ａは、ベース１０３の孔部１０３ａに対応した幅で切り欠かれており、その深さ方向の端部が略半円状に切り欠かれると共に、その半円部分から深さ方向の端部中央に向かって略Ｖ字状に切り欠かれた形状を有している。
【００９１】
また、一方のアイリス羽根１０４には、後述する回動アーム１１４の駆動ピン１１６ａが係合される水平スリット１１１が形成されている。この水平スリット１１１は、水平方向に平行な直線状の長孔であり、絞り１０２の開口１０２ａを閉塞する側の端部から外側に向かって延長された延長部１０４ｂに穿設されている。
【００９２】
これに対して、他方のアイリス羽根１０５は、スライド方向と直交する両側に位置して、上述したベース１０３の３つのガイドピン１０８ａ，１０８ｃ，１０８ｄが係合される３つの鉛直スリット１１２ａ，１１２ｂ，１１２ｃが形成されている。これら３つの鉛直スリット１１２ａ，１１２ｂ，１１２ｃは、鉛直方向に平行な直線状の長孔である。したがって、他方のアイリス羽根１０５は、各鉛直スリット１１２ａ，１１２ｂ，１１２ｃと各ガイドピン１０８ａ，１０８ｃ，１０８ｄとの係合により鉛直方向にスライド可能に支持されている。
【００９３】
また、他方のアイリス羽根１０５は、絞り１０２の開口１０２ａを閉塞する側の端部から鉛直方向に切り欠かれた切欠き部１０５ａを有している。この切欠き部１０５ａは、ベース１０３の孔部１０３ａに対応した幅で切り欠かれており、その深さ方向の端部が略半円状に切り欠かれると共に、その半円部分から深さ方向の端部中央に向かって略Ｖ字状に切り欠かれた形状を有している。
【００９４】
また、他方のアイリス羽根１０５には、後述する回動アーム１１４の駆動ピン１１６ｂが係合される水平スリット１１３が形成されている。この水平スリット１１３は、水平方向に平行な直線状の長孔であり、絞り１０２の開口１０２ａを閉塞する側の端部に鉛直スリット１１２ｂよりも内側に位置して穿設されている。
【００９５】
ＩＲフィルタ１０６は、絞り１０２の開口１０２ａを通過する光の赤外帯域成分を反射させることにより、撮像ユニット５５への当該赤外帯域成分の入射を遮断させるものであり、例えばガラス基板上に積層された多層膜からなる。
【００９６】
また、このＩＲフィルタ１０６としては、更なる薄型化及び軽量化を図るため、例えばポリエチレンテレフトレート（ＰＥＴ）等の樹脂フィルム上に、上述した多層膜を蒸着により積層形成し、所定の形状に型抜きしたものを用いることが可能である。
【００９７】
この場合、ＩＲフィルタ１０６の薄型化及び軽量化によって、この光学ユニット１０１を小型薄型化することが可能である。また、後述する駆動機構１０７によるＩＲフィルタ１０６の挿脱動作速度が向上することから、撮影者の使用感を向上させることが可能である。また、より少ない駆動力でのＩＲフィルタ１０６の挿脱動作が可能となることから、消費電力の低減を図ることが可能である。
【００９８】
なお、赤外カットフィルタ１０６としては、上述した赤外帯域成分を反射させるタイプに限らず、当該赤外帯域成分を吸収することによって、撮像ユニットへの赤外帯域成分の入射を遮断するタイプも使用可能である。
【００９９】
そして、このＩＲフィルタ１０６は、上述した他方のアイリス羽根１０４のベース１０３側の主面において切欠き部１０４ａから臨む位置に接着等により取り付けられている。具体的に、このＩＲフィルタ１０６は、切欠き部１０４ａを深さ方向の端部から略半分覆う領域に亘って設けられている。
【０１００】
駆動機構１０７は、上述した一対のアイリス羽根１０４，１０５をスライド操作する回動アーム１１４と、回動アーム１１４を回動させる駆動モータ１１５とを有している。
【０１０１】
回動アーム１１４は、長尺状の部材からなり、その中心部が駆動モータ１１５の駆動軸１１５ａに一体に取り付けられている。また、回動アーム１１４の両端部には、駆動モータ１１５とは反対側から突出する一対の駆動ピン１１６ａ，１１６ｂが設けられている。
【０１０２】
駆動モータ１１５は、いわゆるガルバノメータであり、コイルに流れる電流に比例した回転力（トルク）を発生させることによって、この回転力に抗する付勢力と平衡する角度まで回動アーム１１４を回動させる。
【０１０３】
そして、この駆動機構１０７は、回動アーム１１４の一対の駆動ピン１１６ａ，１１６ｂが一対のアイリス羽根１０４，１０５の水平スリット１１１，１１３にそれぞれ係合された状態で、駆動モータ１１５が取付部材１１７を介してベース１０３一主面側に取り付けられている。
【０１０４】
また、この駆動機構１０７は、図２１及び図２２に示すように、駆動モータ１１５を駆動する前の状態において、一対のアイリス羽根１０４，１０５がベース１０３及びカバー部材１０９の孔部１０３ａ，１０９ａを閉塞した状態、すなわち絞り１０２の開口１０２ａが全閉された状態を保持している。
【０１０５】
そして、この状態から、駆動モータ１１５の駆動により回動アーム１１４が回動されると、一対の駆動ピン１１６ａ，１１６ｂと水平スリット１１１，１１３との係合により一対のアイリス羽根１０４，１０５が鉛直方向において互いに逆向き（ここでは、互いに離間する方向）にスライドされる。これにより、一対のアイリス羽根１０４，１０５がベース１０３及びカバー部材１０９の孔部１０３ａ，１０９ａを開放する。このとき、絞り１０２の開口１０２ａは、一対のアイリス羽根１０４，１０５に形成された切欠き部１５４ａ，１０５ａの重なり具合に応じて、その開口面積（口径）が変化する。
【０１０６】
そして、最終的には、図２３及び図２４に示すように、一対のアイリス羽根１０４，１０５がベース１０３及びカバー部材１０９の孔部１０３ａ，１０９ａを開放した状態、すなわち絞り１０２の開口１０２ａが全開された状態となるまで、回動アーム１１４を任意の角度範囲で回動することが可能となっている。
【０１０７】
したがって、この光学ユニット１０１では、駆動機構１０７により一対のアイリス羽根１０４，１０５を互いに逆向き、すなわち互いに近接又は離間する方向にスライドさせることによって、絞り１０２の開口を任意に調節することが可能となっている。
【０１０８】
なお、この光学ユニット１０１では、他方のアイリス羽根１０５が一方のアイリス羽根１０４よりもベース１０３側に位置した構成となっているが、これら一対のアイリス羽根１０４，１０５の重ね合わせの順序については任意であり、一方のアイリス羽根１０４が他方のアイリス羽根１０５よりもベース３３側に位置した構成であってもよい。
【０１０９】
また、この光学ユニット１０１では、例えば図２５及び図２６に示すように、駆動機構１０７が一対のアイリス羽根１０４，１０５をスライドさせることによって、ＩＲフィルタ１０６がベース１０３及びカバー部材１０９の孔部１０３ａ，１０９ａ全体を覆う状態、すなわち、他方のアイリス羽根１０５の切欠き部１０５ａから臨むＩＲフィルタ１０６が絞り１０２の開口１０２ａを通過する光の光路に対して挿入された状態となる。
【０１１０】
したがって、この光学ユニット１０１では、他方のアイリス羽根１０５に保持されたＩＲフィルタ１０６を絞り１０２の開口１０２ａを通過する光の光路に対して挿脱することが可能となっている。
【０１１１】
以上のように構成される光学ユニット１０１は、図１７及び図１８に示すように、固定レンズ１４とフォーカス用の可動レンズ群１８との間に絞り１０２が位置するように、中間鏡筒４に形成された挿入口（図示せず。）からベース１０３が挿入された状態で、中間鏡筒４にネジ止めにより取り付けられている。
【０１１２】
そして、このような光学ユニット１０１を備える撮像装置１００は、通常撮影と低照度撮影とを選択的に切り換える、いわゆるナイトショット機能を有している。
【０１１３】
具体的に、通常撮影のときには、図２５及び図２６に示すように、上述した光学ユニット１０１の駆動機構１０７が一対のアイリス羽根１０４，１０５を互いに逆向きにスライドさせながら、撮影時の輝度レベルに応じた最適な絞り調整を行う。このとき、他方のアイリス羽根１０５に保持されたＩＲフィルタ１０６が絞り１０２の開口１０２ａを通過する光の光路に挿入された状態となる。
【０１１４】
これにより、撮像装置１００では、絞り１０２の開口１０２ａを通過した光の赤外帯域成分が撮像ユニット５５の固体撮像素子５６に入射するのを遮断することができ、この固体撮像素子５６が受像した被写体の像から適切なデジタル画像データを生成することができる。
【０１１５】
一方、低照度撮影のときには、図２３及び図２４に示すように、上述した光学ユニット１０１の駆動機構１０７が一対のアイリス羽根１０４，１０５を互いに逆向き（ここでは、互いに離間する方向）にスライドさせることによって、絞り１０２の開口１０２ａを全開状態とする。これにより、他方のアイリス羽根１０５に保持されたＩＲフィルタ１０６が絞り１０２の開口１０２ａを通過する光の光路から離脱された状態となる。
【０１１６】
これにより、撮像装置１００では、夜間や暗所等においても、被写体の像を固体撮像素子５６により適切に受像することができ、この固体撮像素子５６が受像した被写体の像から適切なデジタル画像データを生成することができる。
【０１１７】
以上のように、この撮像装置１００は、少なくとも一方にＩＲフィルタ１０６が取り付けられた一対のアイリス羽根１０４，１０５を駆動機構１０７が互いに逆向きにスライドさせることによって、絞り１０２の開口を変化させると共に、ＩＲフィルタ１０６を絞り１０２の開口１０２ａを通過する光の光路に対して挿脱する光学ユニット１０１を備えている。
【０１１８】
したがって、この撮像装置１００では、上述した通常撮影と低照度撮影との選択的な切換えを適切に行うことが可能である。また、この撮像装置１００では、従来のようなＩＲフィルタを挿脱するための機構を鏡筒本体に別個に設ける場合と比べて、部品点数が少なくなることから、装置全体の小型化及び低コスト化が可能である。また、部品及び組立コストの低減、並びに組立作業性の向上を図ることが可能である。
【０１１９】
なお、上述した光学ユニット１０１では、他方のアイリス羽根１０５にＩＲフィルタ１０６が取り付けられた構成となっているが、一対のアイリス羽根１０４，１０５の少なくとも一方にＩＲフィルタ１０６が取り付けられた構成、すなわち一方のアイリス羽根１０４にＩＲフィルタ１０６が取り付けられた構成や、一対のアイリス羽根１０４，１０５にそれぞれＩＲフィルタ１０６が取り付けられた構成とすることも可能である。
【０１２０】
また、上述した光学ユニット１０１では、上述した一対のアイリス羽根１０４，１０５の少なくとも一方に、中性濃度フィルタ（以下、ＮＤフィルタという。）が取り付けられた構成とすることも可能である。
【０１２１】
ここでは、その一例として、図２７及び図２８に示すように、上述した光学ユニット３１の一方のアイリス羽根１０４にＮＤフィルタ１１８が取り付けられた構造について説明する。
【０１２２】
このＮＤフィルタ１１８は、光強度を減少させる、いわゆる灰色フィルタである。そして、このＮＤフィルタ１１８は、上述した他方のアイリス羽根１０５のベース１０３側の主面において切欠き部１０５ａから臨む位置に接着等により取り付けられている。具体的に、このＮＤフィルタ１１８は、切欠き部１０５ａを深さ方向の端部から略Ｖ字状の部分まで覆う領域に亘って設けられている。
【０１２３】
この光学ユニット１０１では、図２９及び図３０に示すように、絞り１０２の開口が小さくなる位置まで駆動機構１０７が一対のアイリス羽根１０４，１０５をスライドさせることによって、他方のアイリス羽根１０５の切欠き部１０５から臨むＮＤフィルタ１１８が絞り１０２の開口１０２ａを通過する光の光路に対して挿入された状態となる。
【０１２４】
以上のようにして、この光学ユニット１０１では、一方のアイリス羽根１０４に保持されたＮＤフィルタ１１８を絞り１０２の開口１０２ａを通過する光の光路に対して挿脱することが可能となっている。
【０１２５】
したがって、このような光学ユニット１０１を備える撮像装置１００では、高照度撮影のときに、絞り１０２の開口を小さくすることによって、上述したＮＤフィルタ１１８が絞り１０２の開口１０２ａを通過する光の光路に対して挿入された状態となる。これにより、撮像装置１００では、例えば昼間の野外等において、ＮＤフィルタ１１８が光強度を減少させることから、被写体の像を固体撮像素子５６により適切に受像することができ、この固体撮像素子５６が受像した被写体の像から適切なデジタル画像データを生成することができる。
【０１２６】
また、この撮像装置１００では、従来のようなＮＤフィルタを挿脱するための機構を鏡筒本体に別個に設ける場合と比べて、部品点数が少なくなることから、装置全体の小型化及び低コスト化が可能である。また、部品及び組立コストの低減、並びに組立作業性の向上を図ることが可能である。
【０１２７】
なお、上述した光学ユニット１０１では、一対のアイリス羽根１０４，１０５のうち、一方のアイリス羽根１０４にＮＤフィルタ１１８が取り付けられ、他方のアイリス羽根１０５にＩＲフィルタ１０６が取り付けられた構成となっているが、例えば図３１及び図３２に示すように、何れか一方のアイリス羽根（ここでは、例えば他方のアイリス羽根１０５）にＩＲフィルタ１０６及びＮＤフィルタ１１８が取り付けられた構成とすることも可能である。
【０１２８】
具体的に、ＩＲフィルタ１０６は、切欠き部１０５ａを深さ方向の端部から略半分覆う領域に亘って設けられている。一方、ＮＤフィルタ１１８は、切欠き部１０５ａを深さ方向の端部から略Ｖ字状の部分まで覆う領域に亘って設けられている。
【０１２９】
なお、本発明を適用したレンズ駆動装置は、上述した４群インナーフォーカス式のズームレンズとして構成された撮像装置１，１００に適用される場合に限定されず、レンズ鏡筒に配置されたレンズより結像された被写体の像を固体撮像素子により撮像する撮像装置において、通常撮影と低照度撮影とを選択的に切り換える場合に広く適用可能である。
【０１３０】
【発明の効果】
以上詳細に説明したように、本発明によれば、絞りの開口を調整する手段と赤外カットフィルタを挿脱する手段とを一体化することによって、通常撮影と低照度撮影との選択的な切換えを行う構成を少ない部品点数で実現することから、装置全体の小型化、部品及び組立コストの低減、並びに組立作業性の向上を図ることが可能である。
【図面の簡単な説明】
【図１】本発明を適用した撮像装置の構成を示す斜視図である。
【図２】上記撮像装置の内部構造を示す断面図である。
【図３】本発明を適用した光学ユニットを前面側から見た斜視図である。
【図４】上記光学ユニットを背面側から見た斜視図である。
【図５】上記光学ユニットの要部を示す分解斜視図である。
【図６】上記光学ユニットの絞りが全閉された状態を示す平面図である。
【図７】上記光学ユニットの絞りが全閉された状態を示す断面図である。
【図８】上記光学ユニットの絞りが全開された状態を示す平面図である。
【図９】上記光学ユニットの絞りが全開された状態、且つＩＲフィルタが絞りの開口を通過する光の光路に対して離脱された状態を示す断面図である。
【図１０】上記光学ユニットのＩＲフィルタが絞りの開口を通過する光の光路に対して離脱された状態を示す平面図である。
【図１１】上記光学ユニットのＩＲフィルタが絞りの開口を通過する光の光路に対して挿入された状態を示す平面図である。
【図１２】上記光学ユニットのＩＲフィルタが絞りの開口を通過する光の光路に対して挿入された状態を示す断面図である。
【図１３】上記光学ユニットの変形例を示す斜視図である。
【図１４】上記光学ユニットの変形例の要部を示す分解斜視図である。
【図１５】上記光学ユニットのＮＲフィルタが絞りの開口を通過する光の光路に対して挿入された状態を示す平面図である。
【図１６】上記光学ユニットのＮＲフィルタが絞りの開口を通過する光の光路に対して挿入された状態を示す断面図である。
【図１７】本発明を適用した別の撮像装置の構成を示す斜視図である。
【図１８】上記別の撮像装置の内部構造を示す断面図である。
【図１９】本発明を適用した別の光学ユニットを前面側から見た斜視図である。
【図２０】上記別の光学ユニットの要部を示す分解斜視図である。
【図２１】上記別の光学ユニットの絞りが全閉された状態を示す平面図である。
【図２２】上記別の光学ユニットの絞りが全閉された状態を示す断面図である。
【図２３】上記別の光学ユニットの絞りが全開された状態、且つＩＲフィルタが絞りの開口を通過する光の光路に対して離脱された状態を示す平面図である。
【図２４】上記別の光学ユニットの絞りが全開された状態、且つＩＲフィルタが絞りの開口を通過する光の光路に対して離脱された状態を示す断面図である。
【図２５】上記別の光学ユニットのＩＲフィルタが絞りの開口を通過する光の光路に対して挿入された状態を示す平面図である。
【図２６】上記別の光学ユニットのＩＲフィルタが絞りの開口を通過する光の光路に対して挿入された状態を示す断面図である。
【図２７】上記別の光学ユニットの変形例を示す斜視図である。
【図２８】上記別の光学ユニットの変形例の要部を示す分解斜視図である。
【図２９】上記別の光学ユニットのＮＲフィルタが絞りの開口を通過する光の光路に対して挿入された状態を示す平面図である。
【図３０】上記別の光学ユニットのＮＲフィルタが絞りの開口を通過する光の光路に対して挿入された状態を示す断面図である。
【図３１】上記別の光学ユニットの片方のアイリス羽根にＩＲフィルタ及びＮＤフィルタが取り付けられた構成を示す平面図である。
【図３２】上記別の光学ユニットの片方のアイリス羽根にＩＲフィルタ及びＮＤフィルタが取り付けられた構成を示す断面図である。
【符号の説明】
１  撮像装置、２  鏡筒本体、３１  光学ユニット、３２  絞り、３２ａ  開口、３３ベース、３３ａ  孔部、３４  一方のアイリス羽根、３４ａ  切欠き部、３５  他方のアイリス羽根、３５ａ  切欠き部、３６  第１の駆動機構、３７スライド部材、３８  ＩＲフィルタ、３９  第２の駆動機構、４５  第１の回動アーム、４６  第１の駆動モータ、５１  第２の回動アーム、５２  第２の駆動モータ、６１  ＮＤフィルタ、１００  撮像装置、１０１  光学ユニット、１０２  絞り、１０２ａ  開口、１０３  ベース、１０３ａ  孔部、１０４  一方のアイリス羽根、１０４ａ  切欠き部、１０５  他方のアイリス羽根、１０５ａ切欠き部、１０６  ＩＲフィルタ、１０７  駆動機構、１１４  回動アーム、１１５  駆動モータ、１１８  ＮＤフィルタ
【図１】
2004361590.tif 000003
【図２】
2004361590.tif 000004
【図３】
2004361590.tif 000005
【図４】
2004361590.tif 000006
【図５】
2004361590.tif 000007
【図６】
2004361590.tif 000008
【図７】
2004361590.tif 000009
【図８】
2004361590.tif 000010
【図９】
2004361590.tif 000011
【図１０】
2004361590.tif 000012
【図１１】
2004361590.tif 000013
【図１２】
2004361590.tif 000014
【図１３】
2004361590.tif 000015
【図１４】
2004361590.tif 000016
【図１５】
2004361590.tif 000017
【図１６】
2004361590.tif 000018
【図１７】
2004361590.tif 000019
【図１８】
2004361590.tif 000020
【図１９】
2004361590.tif 000021
【図２０】
2004361590.tif 000022
【図２１】
2004361590.tif 000023
【図２２】
2004361590.tif 000024
【図２３】
2004361590.tif 000025
【図２４】
2004361590.tif 000026
【図２５】
2004361590.tif 000027
【図２６】
2004361590.tif 000028
【図２７】
2004361590.tif 000029
【図２８】
2004361590.tif 000030
【図２９】
2004361590.tif 000031
【図３０】
2004361590.tif 000032
【図３１】
2004361590.tif 000033
【図３２】
2004361590.tif 000034